(57)【特許請求の範囲】
【請求項１】
ファクシミリ通信において全２重通信により手順信号の送受信を行うデータ通信装置であって、通信が電話である場合には音声信号の帯域圧縮を行う一方ファクシミリ通信である場合には該帯域圧縮を行わない構内交換機を介して通信するデータ通信装置において、
発呼時に、全２重通信のＶ．８手順に入る前に、上記構内交換機に対して当該通信がファクシミリ通信であることを認識させるための識別信号を送出する識別信号送出手段と、
入力手段より入力される相手先ファクシミリ番号等の相手先情報を格納するもので、相手先ファクシミリ番号と共に当該ファクシミリ番号による通信が構内交換機を介するか否かの情報を格納する記憶手段とを備え、
上記識別信号送出手段は、上記記憶手段に格納されている相手先情報を基に構内交換機を介するファクシミリ通信であるか否かを判断し、構内交換機を介するファクシミリ通信であると判断すると、上記識別信号を送出することを特徴とするデータ通信装置。
【請求項２】
ファクシミリ通信において全２重通信により手順信号の送受信を行うデータ通信装置であって、通信が電話である場合には音声信号の帯域圧縮を行う一方ファクシミリ通信である場合には該帯域圧縮を行わない構内交換機を介して通信するデータ通信装置において、
着呼時に、全２重通信のＶ．８手順に入る前に、上記構内交換機に対して当該通信がファクシミリ通信であることを認識させるための識別信号を送出する識別信号送出手段と、
入力手段より入力される相手先ファクシミリ番号等の相手先情報を格納するもので、相手先ファクシミリ番号と共に当該ファクシミリ番号による通信が構内交換機を介するか否かの情報を格納する記憶手段とを備え、
上記識別信号送出手段は、上記記憶手段に格納されている相手先情報を基に構内交換機を介するファクシミリ通信であるか否かを判断し、構内交換機を介するファクシミリ通信であると判断すると、上記識別信号を送出することを特徴とするデータ通信装置。
【請求項３】
ファクシミリ通信において全２重通信により手順信号の送受信を行うデータ通信装置であって、通信が電話である場合には音声信号の帯域圧縮を行う一方ファクシミリ通信である場合には該帯域圧縮を行わない構内交換機を介して通信するデータ通信装置において、
発呼時に、全２重通信のＶ．８手順に入る前に、上記構内交換機に対して該構内交換機が半２重通信により手順信号を送出する通信において当該通信がファクシミリ通信であると認識するために用いている信号を識別信号として送出する識別信号送出手段を有することを特徴とするデータ通信装置。
【請求項４】
ファクシミリ通信において全２重通信により手順信号の送受信を行うデータ通信装置であって、通信が電話である場合には音声信号の帯域圧縮を行う一方ファクシミリ通信である場合には該帯域圧縮を行わない構内交換機を介して通信するデータ通信装置において、
着呼時に、全２重通信のＶ．８手順に入る前に、上記構内交換機に対して該構内交換機が半２重通信により手順信号を送出する通信において当該通信がファクシミリ通信であると認識するために用いている信号を識別信号として送出する識別信号送出手段を有することを特徴とするデータ通信装置。
【請求項５】
ファクシミリ通信において全２重通信により手順信号の送受信を行うデータ通信装置であって、通信が電話である場合には音声信号の帯域圧縮を行う一方ファクシミリ通信である場合には該帯域圧縮を行わない構内交換機を介して通信するデータ通信装置において、
発呼時及び着呼時に、全２重通信のＶ．８手順に入る前に、上記構内交換機に対して該構内交換機が半２重通信により手順信号を送出する通信において当該通信がファクシミリ通信であると認識するために用いている信号を識別信号として送出する識別信号送出手段を有することを特徴とするデータ通信装置。
【請求項６】
上記識別信号送出手段による識別信号の送出有無を切換え可能にする識別信号送出切換え手段を備え、
上記識別信号送出手段は、上記識別信号送出切換え手段が、識別信号送出有り側に切換えられているとき、識別信号を送出することを特徴とする請求項１〜５の何れか１項に記載のデータ通信装置。
【請求項７】
入力手段より入力される相手先ファクシミリ番号等の相手先情報を格納するもので、相手先ファクシミリ番号と共に当該ファクシミリ番号による通信が構内交換機を介するか否かの情報を格納する記憶手段を備え、
上記識別信号送出手段は、上記記憶手段に格納されている相手先情報を基に構内交換機を介するファクシミリ通信であるか否かを判断し、構内交換機を介するファクシミリ通信であると判断すると、上記識別信号を送出することを特徴とする請求項３〜５の何れか１項に記載のデータ通信装置。
【請求項８】
ＣＥＤ信号にて当該通信がファクシミリ通信であることを認識する構内交換機に対しては、ＣＥＤ信号を上記識別信号として用いることを特徴とする請求項１〜７の何れか１項に記載のデータ通信装置。
【発明の詳細な説明】
【０００１】
【発明の属する技術分野】
本発明は、ファクシミリ装置等のデータ通信装置、特に全２重通信により手順信号の送受信を行うデータ通信装置に関するものである。
【０００２】
【従来の技術】
今日、ファクシミリ通信が広く普及しており、企業においても企業内及び企業外とのファクシミリ通信量が増大している。このため、一般公衆網を直接利用するほかに、電話と同様に構内交換機を設け、構内交換機を介して企業内外のファクシミリ通信を行うようになってきている。
【０００３】
図８に、このようなファクシミリ通信を含んだ電話・ファクシミリ通信システムを示す。本来、該通信システムは、多くの事業所群から構成されているが、ここでは、便宜上、Ａ事業所とＢ事業所の構成で説明する。
【０００４】
該通信システムにおいて、Ａ事業所内の多数のファクシミリ装置（ＦＡＸ）５１Ａ…及び電話機（ＴＥＬ）５０Ａ…は、Ａ事業所の構内交換機５２Ａに接続され、Ｂ事業所内の多数のファクシミリ装置５１Ｂ…及び電話機５０Ｂ…は、Ｂ事業所の構内交換機５２Ｂに接続されている。これらＡ事業所及びＢ事業所の各構内交換機５２Ａ・５２Ｂは、専用回線で結ばれると共に、公衆回線を介して公衆網交換機５４とも接続され、公衆電話網に接続されている。また、Ａ事業所には、構内交換機５２Ａに接続されることなく、公衆回線を介して公衆網交換機５４に直接接続されたファクシミリ装置５１Ａもある。
【０００５】
このような通信システムにおいて、Ａ事業所からＢ事業所へファクシミリ通信するには、次の３通りの方法がある。
【０００６】
(1)Ａ事業所の構内交換機５２Ｂに非接続のファクシミリ装置５１Ａから直接公衆網交換機５４を介してＢ事業所の構内交換機５２Ｂに送信し、構内交換機５２Ｂを介してＢ事業所のファクシミリ装置５１Ｂに送信する方法。
【０００７】
(2)Ａ事業所の構内交換機５２Ａに接続されているファクシミリ装置５１Ａから、構内交換機５２Ａを介し、公衆網交換機５４を経由してＢ事業所の構内交換機５２Ｂに送信し、構内交換機５２Ｂを介してＢ事業所のファクシミリ装置５１Ｂに送信する方法。
【０００８】
(3)Ａ事業所の構内交換機５２Ａに接続されているファクシミリ装置５１Ａから、構内交換機５２Ａを介して専用回線により直接Ｂ事業所の構内交換機５２Ｂに接続されたＢ事業所のファクシミリ装置５１Ｂに送信する方法。この方法では、一般公衆網を介さない。
【０００９】
また、最近では、２つの回線を接続可能なファクシミリ装置が利用されている。このようなファクシミリ装置では、１つの回線を公衆回線と接続し、もう１つの回線を構内交換機を介して専用回線と接続することもできる。
【００１０】
ところで、上記した構内交換機５２Ａ・５２Ｂでは、回線（専用回線及び公衆回線）の帯域を有効に活用して通信数を増やすために、電話かファクシミリ通信かを判断し、電話であると判断すると、音声信号の帯域圧縮を行うようになっている。
【００１１】
従来、構内交換機５２Ａ・５２Ｂでは、電話かファクシミリ通信であるかの判断を、着呼側のファクシミリ装置から着呼時の応答に送出されるＣＥＤ信号の有無で行っている。
【００１２】
図９（ａ）に、ＣＥＤ信号にて応答する、従来のファクシミリ通信における通信シーケンス例を示す。ここで、通信モード等の設定を行うための手順信号は、半２重通信により送受信される。
【００１３】
該図からわかるように、着呼側のファクシミリ装置では、まず、当該通信がファクシミリ通信であることを知らせるＣＥＤ信号で応答し、その後、Ｖ．２１手順のＮＳＦ信号，ＣＳＩ信号，ＤＩＳ信号を送出し、Ｖ．２７ter 、Ｖ．２９、Ｖ．１７の画像伝送を実行する。
【００１４】
一方、ＩＴＵ−Ｔ勧告では、通信時間を短縮するために、従来半２重通信により送受信していた手順信号を、全２重通信により送受信するＶ．３４通信が標準化されている。
【００１５】
図９（ｂ）に、手順信号を全２重通信により送受信するＶ．３４通信の通信シーケンス例を示す。
【００１６】
Ｖ．３４通信の場合、着信時にＶ．８手順があることを示すＡＮＳａｍ信号にて応答し、発呼側（相手機）がＶ．３４通信機能を有している場合は、Ｖ．８手順を実行し、その後Ｖ．３４の手順と画像伝送を実行する。
【００１７】
一方、発呼側がＶ．３４通信機能を持たない場合には、ＡＮＳａｍ信号に対して何も応答してこないので、着呼側は、前述の同図（ａ）に示す半２重通信のＶ．２１手順のＤＩＳ信号の送出へ移行し、Ｖ．２１手順、Ｖ．２７ter 、Ｖ．２９、Ｖ．１７の画像伝送を実行する。
【００１８】
【発明が解決しようとする課題】
しかしながら、上記した従来の技術のままでは、ファクシミリ通信が不能となったり、通信速度が遅くなって、構内交換機を介してのＶ．３４通信が行えないといった問題がある。
【００１９】
つまり、上述したように、構内交換機５２Ａ・５２Ｂは、電話かファクシミリ通信であるかの判断を、ファクシミリ通信であることを示すＣＥＤ信号の有無で行い、ＣＥＤ信号の有る場合は、ファクシミリ通信であるとして帯域圧縮を行わず、ＣＥＤ信号を検知しなかった場合は、音声信号であるとして帯域圧縮を行うようになっている。
【００２０】
ところが、Ｖ．３４通信機能のファクシミリ装置では、図９（ｂ）に示すように、着信時にＶ．８手順のＡＮＳａｍ信号にて応答し、ＣＥＤ信号は送出しないため、例えば、図８に示した通信システムにおいて、Ｂ事業所の相手先ファクシミリ装置５１ＢがＶ．３４通信機能を有していると、発呼側及び着呼側の各構内交換機５２Ａ・５２Ｂは電話と誤って判断し、ファクシミリ通信であるにも係わらず帯域圧縮を行ってしまう。その結果、ファクシミリ通信が不能となったり、通信速度が遅くなってしまう。
【００２１】
【課題を解決するための手段】
本発明の記載のデータ通信装置は、上記の課題を解決するために、ファクシミリ通信において全２重通信により手順信号の送受信を行うデータ通信装置であって、通信が電話である場合には音声信号の帯域圧縮を行う一方ファクシミリ通信である場合には該帯域圧縮を行わない構内交換機を介して通信するデータ通信装置において、発呼時に、全２重通信のＶ．８手順に入る前に、上記構内交換機に対して当該通信がファクシミリ通信であることを認識させるための識別信号を送出する識別信号送出手段と、入力手段より入力される相手先ファクシミリ番号等の相手先情報を格納するもので、相手先ファクシミリ番号と共に当該ファクシミリ番号による通信が構内交換機を介するか否かの情報を格納する記憶手段とを備え、上記識別信号送出手段は、上記記憶手段に格納されている相手先情報を基に構内交換機を介するファクシミリ通信であるか否かを判断し、構内交換機を介するファクシミリ通信であると判断すると、上記識別信号を送出することを特徴としている。
【００２２】
これによれば、発呼時、Ｖ．８手順に入る前に、当該通信がファクシミリ通信であることを示す識別信号が識別信号送出手段より送出される。したがって、たとえ着呼側のデータ通信装置が、Ｖ．３４通信機能を有する装置であって、ＣＥＤ信号を送出せず、全２重通信のＡＮＳａｍ信号にて応答しても、構内交換機は、発呼側の本発明のデータ通信装置から送信されるこの識別信号で、当該通信がファクシミリ通信であることを認識し、帯域圧縮を行わない。
【００２３】
これにより、通信不能となったり、通信速度が遅くなるため、従来行えなかった構内交換機を介してのＶ．３４通信が、問題なく実施可能となる。
【００２４】
また、複数の回線を有するデータ通信装置も利用されているが、このようなデータ通信装置では、識別信号送出切換え手段にて一括して識別信号の送信有無を指定することができず、ファクシミリ送信の度にユーザが一々指定することが必要となる。
【００２５】
これに対し、上記構成によれば、例えばタッチパネル等の入力手段を用いてユーザが相手先ファクシミリ番号と共に、当該ファクシミリ番号による通信が構内交換機を介する通信であるか否かの情報を記憶手段に登録しておくことで、識別信号送出手段が、記憶手段に格納されている情報を基に、構内交換機を介するファクシミリ通信であるか否かを判断し、構内交換機を介するファクシミリ通信である場合のみ、識別信号を送出するようになっている。
【００２６】
したがって、ユーザがファクシミリ送信の度に一々識別信号の送信の有無を指定しなくとも、自動的に必要な場合のみ識別信号が送信されるので、操作性が向上する。
【００２７】
本発明のデータ通信装置は、上記の課題を解決するために、ファクシミリ通信において全２重通信により手順信号の送受信を行うデータ通信装置であって、通信が電話である場合には音声信号の帯域圧縮を行う一方ファクシミリ通信である場合には該帯域圧縮を行わない構内交換機を介して通信するデータ通信装置において、着呼時に、全２重通信のＶ．８手順に入る前に、上記構内交換機に対して当該通信がファクシミリ通信であることを認識させるための識別信号を送出する識別信号送出手段と、入力手段より入力される相手先ファクシミリ番号等の相手先情報を格納するもので、相手先ファクシミリ番号と共に当該ファクシミリ番号による通信が構内交換機を介するか否かの情報を格納する記憶手段とを備え、上記識別信号送出手段は、上記記憶手段に格納されている相手先情報を基に構内交換機を介するファクシミリ通信であるか否かを判断し、構内交換機を介するファクシミリ通信であると判断すると、上記識別信号を送出することを特徴としている。
【００２８】
これによれば、着呼時、Ｖ．８手順に入る前に、当該通信がファクシミリ通信であることを示す識別信号が識別信号送出手段より送出される。したがって、構内交換機は、着呼側の本発明のデータ通信装置から送信されるこの識別信号で、当該通信がファクシミリ通信であることを認識し、帯域圧縮を行わない。
【００２９】
これにより、通信不能となったり、通信速度が遅くなるため、従来行えなかった構内交換機を介してのＶ．３４通信が、問題なく実施可能となる。
【００３０】
また、複数の回線を有するデータ通信装置も利用されているが、このようなデータ通信装置では、識別信号送出切換え手段にて一括して識別信号の送信有無を指定することができず、ファクシミリ送信の度にユーザが一々指定することが必要となる。
【００３１】
これに対し、上記構成によれば、例えばタッチパネル等の入力手段を用いてユーザが相手先ファクシミリ番号と共に、当該ファクシミリ番号による通信が構内交換機を介する通信であるか否かの情報を記憶手段に登録しておくことで、識別信号送出手段が、記憶手段に格納されている情報を基に、構内交換機を介するファクシミリ通信であるか否かを判断し、構内交換機を介するファクシミリ通信である場合のみ、識別信号を送出するようになっている。
【００３２】
したがって、ユーザがファクシミリ送信の度に一々識別信号の送信の有無を指定しなくとも、自動的に必要な場合のみ識別信号が送信されるので、操作性が向上する。
【００３３】
本発明のデータ通信装置は、上記課題を解決するために、ファクシミリ通信において全２重通信により手順信号の送受信を行うデータ通信装置であって、通信が電話である場合には音声信号の帯域圧縮を行う一方ファクシミリ通信である場合には該帯域圧縮を行わない構内交換機を介して通信するデータ通信装置において、発呼時に、全２重通信のＶ．８手順に入る前に、上記構内交換機に対して該構内交換機が半２重通信により手順信号を送出する通信において当該通信がファクシミリ通信であると認識するために用いている信号を識別信号として送出する識別信号送出手段を有することを特徴としている。
【００３４】
本発明のデータ通信装置は、上記課題を解決するために、ファクシミリ通信において全２重通信により手順信号の送受信を行うデータ通信装置であって、通信が電話である場合には音声信号の帯域圧縮を行う一方ファクシミリ通信である場合には該帯域圧縮を行わない構内交換機を介して通信するデータ通信装置において、着呼時に、全２重通信のＶ．８手順に入る前に、上記構内交換機に対して該構内交換機が半２重通信により手順信号を送出する通信において当該通信がファクシミリ通信であると認識するために用いている信号を識別信号として送出する識別信号送出手段を有することを特徴としている。
【００３５】
本発明のデータ通信装置は、上記課題を解決するために、ファクシミリ通信において全２重通信により手順信号の送受信を行うデータ通信装置であって、通信が電話である場合には音声信号の帯域圧縮を行う一方ファクシミリ通信である場合には該帯域圧縮を行わない構内交換機を介して通信するデータ通信装置において、発呼時及び着呼時に、全２重通信のＶ．８手順に入る前に、上記構内交換機に対して該構内交換機が半２重通信により手順信号を送出する通信において当該通信がファクシミリ通信であると認識するために用いている信号を識別信号として送出する識別信号送出手段を有することを特徴としている。
【００３６】
そして、これらの場合にも、入力手段より入力される相手先ファクシミリ番号等の相手先情報を格納するもので、相手先ファクシミリ番号と共に当該ファクシミリ番号による通信が構内交換機を介するか否かの情報を格納する記憶手段を備え、上記識別信号送出手段は、上記記憶手段に格納されている相手先情報を基に構内交換機を介するファクシミリ通信であるか否かを判断し、構内交換機を介するファクシミリ通信であると判断すると、上記識別信号を送出するようにしてもよい。
【００３７】
上記した本発明の各データ通信装置においては、上記識別信号送出手段による識別信号の送出有無を切換え可能にする識別信号送出切換え手段を備え、上記識別信号送出手段は、上記識別信号送出切換え手段が、識別信号送出有り側に切換えられているとき、識別信号を送出することを特徴とすることもできる。
【００３８】
構内交換機を介す介さないに関係なく、ファクシミリ通信時に常に識別信号を送信する構成でも良いが、その場合は、識別信号が不要なときにも出力されるためにその分無駄な時間を要し、通信時間の短縮を図るといったＶ．３４通信の目的に反することになる。したがって、構内交換機を介してのファクシミリ通信時にのみ識別信号を出力させることが望ましく、識別信号の送出有無を指定できる構成が望ましい。
【００３９】
一方、データ通信装置が、必ず構内交換機を介して送信を行うように設置される場合もあり、そうすると、ユーザはファクシミリ送信の度に、識別信号の送信有りを指定しなければならず、煩わしくなる。
【００４０】
上記構成によれば、識別信号の送出有無を切換え可能にする識別信号送出切換え手段が設けられており、この識別信号送出切換え手段が、識別信号送出有り側に切り換えられているとき、識別信号を送出するようになっているので、ユーザは、この識別信号送出切換え手段を操作して識別信号送出の有無を一括指定することが可能となる。
【００４１】
これにより、ファクシミリ送信の度に一々識別信号の送信の有無を指定しなくとも済み、操作性が向上する。
【００４２】
さらに、上記した本発明の各データ通信装置においては、ＣＥＤ信号にて当該通信がファクシミリ通信であることを認識する構内交換機に対しては、ＣＥＤ信号を上記識別信号として用いることを特徴とすることもできる。
【００４３】
従来より、構内交換機は、ＣＥＤ信号を検出すると、当該通信がファクシミリ通信であると判断しているので、ＣＥＤ信号を本発明のファクシミリ通信であることを構内交換機に認識させ得る識別信号として用いることで、他の信号を識別信号とする場合に比べ、構内交換機側の構成・設定を何ら変更することなく、本発明のデータ通信装置を適用でき、効果を得ることができる。
【００４４】
【発明の実施の形態】
本発明に係る実施の一形態を、図１〜図８に基づいて説明すれば、以下の通りである。
【００４５】
本実施の形態では、データ通信装置として、コピー機本体に、プリンタ機能、及びファクシミリ機能が付加された、デジタル複合機を例示する。
【００４６】
図１に、本実施の形態のデジタル複合機の構成を示す。
【００４７】
図１に示すように、本デジタル複合機は、読取部１１、記録部１２、読取・記録制御部３、操作パネル１０、パネル制御部２、メイン制御部１、制御用メモリ４、登録データメモリ５、画像情報メモリ６、符号／復号化制御部７、ＮＣＵ８、及びモデム９を有する。
【００４８】
読取部１１は、原稿画像を読み取るものであり、記録部１２は、画像データを画像として用紙等に記録するものである。
【００４９】
読取・記録制御部３は、上記読取部１１及び記録部１２をメイン制御部１からの指示に従い制御するもので、コピーモードでは、読取部１１にて原稿の画像を読み取らせ、読み取った画像を記録部１２にて記録させる。また、プリンタモードでは、図示しないパーソナルコンピュータ等より送信されてくる画像データを記録部１２にて記録させる。一方、ファクシミリモードでは、ファクシミリ送信時、読取部１１にて送信原稿を読み取らせ、読み取った画像データを符号／復号化制御部７へ送る。ファクシミリ受信時は、受信した画像データを符号／復号化制御部７から受け取り、記録部１２にて記録させる。
【００５０】
操作パネル１０は、特に図示するものではないが、テンキー等のキー群と共に、タッチパネル部を有し、ユーザが相手先のファクシミリ番号の入力や各種情報の入力に用いられる入力部としての機能と共に、ユーザに対して所定の表示を行う表示部としての機能を有するものである。
【００５１】
パネル制御部２は、上記操作パネル１０を制御するもので、操作者のキー入力を検出し、メイン制御部１へと伝える。また、メイン制御部１からの表示情報を基に、操作パネル１０の表示部に表示させる。
【００５２】
画像情報メモリ６は、メイン制御部１からの指示に従い、読取部１１にて読み取られたファクシミリ送信データや、ファクシミリ受信データを格納するものである。ファクシミリ送信時、符号／復号化制御部７にて符号化されたファクシミリ送信データを格納する。また、ファクシミリ受信時は、格納されているファクシミリ受信データを符号／復号化制御部７へと送信する。さらに、画像情報メモリ６は、メイン制御部１からの指示に従い、モデム９からのデータを格納すると共に、モデム９へのデータ転送も行うようになっている。
【００５３】
制御用メモリ４は、モデム９やＮＣＵ８等の周辺回路の制御時に、メイン制御部１が一次的に使用するメモリである。
【００５４】
登録データメモリ５（記憶手段）は、ユーザにて操作パネル１０を用いて入力された相手先ファクシミリ番号や、音量、ダイヤル信号種別などの各種登録情報を記憶するメモリである。そして、この登録データメモリ５には、相手先ファクシミリ番号と共に、当該相手先への通信が構内交換機を介するか否かを示す情報も併せて登録されるようになっている。
【００５５】
符号／復号化制御部７は、メイン制御部１からの指示に従い、ファクシミリ通信で必要な画像データの符号化及び復号化を行うものであり、ファクシミリ送信時、読み取った送信データを符号化し、ファクシミリ受信時は受信データを復号化する。
【００５６】
モデム９は、メイン制御部１からの指示に従い、ＤＴＭＦ信号の送出／検出、ファクシミリ通信時に使用する信号送出や信号受信処理等を行うもので、モデム９は、手順信号の変調復調用として、Ｖシリーズ勧告のＶ．８、Ｖ．２１、Ｖ．３４、また、画像信号の変調復調用として、Ｖ．２７ｔｅｒ、Ｖ．２９、Ｖ．１７、Ｖ．３４の機能を有する。また、モデム９は、メイン制御部１とで、本発明における識別信号送信手段を構成するもので、メイン制御部１からの指示に従い、構内交換機を介してのファクシミリ通信である場合、発呼時及び着呼時、Ｖ．８手順に入る前に、構内交換機にファクシミリ通信であることを認識させ得る識別信号、ここではＣＥＤ信号を送出する。
【００５７】
ＮＣＵ（網制御装置）８は、電話網をデータ通信等に使用するために、その回線の端末に接続し、電話交換網の接続制御を行ったり、データ通信路への切換えを行ったりするものである。
【００５８】
メイン制御部１は、上述した各ブロックへ制御信号を送信して制御するもので、デジタル複合機の制御中枢である。そして、上述したように、メイン制御部１は、上記モデム９へ制御信号を出力し、発呼時及び着呼時、Ｖ．８手順に入る前にＣＥＤ信号を送出させる。さらに、ここではメイン制御部１は、ユーザにてファクシミリを送信する相手先が操作パネル１０を用いて入力されると、登録データメモリ５内の登録情報を基に、当該相手先への通信が構内交換機を介するか否かを判断するようになっている。
【００５９】
また、本デジタル複合機の場合、上記した画像情報メモリ６、符号／復号化制御部７、ＮＣＵ８、及びモデム９はユニット化されており、オプションで該ユニットを増設することで、回線数を増加できるようになっている。
【００６０】
図２に、本デジタル複合機を含んだ電話・ファクシミリ通信システムを示す。本来、該通信システムは、多くの事業所群から構成されているが、ここでは、便宜上、Ａ事業所とＢ事業所の構成されているものとする。
【００６１】
Ａ事業所内の多数のファクシミリ装置（ＦＡＸ）２１Ａ…と電話機（ＴＥＬ）２０Ａ…、及びＢ事業所内の多数のファクシミリ装置２１Ｂ…と電話機２０Ｂ…は、何れも各事業所の各構内交換機２２Ａ・２２Ｂに接続され、これら各構内交換機２２Ａ・２２Ｂは、専用回線を介して接続されると共に、公衆回線を介して公衆網交換機２４とも接続されている。
【００６２】
そして、本デジタル複合機１００は、オプションにて新たに回線２が増設されており、公衆回線を介して公衆網交換機２４に接続されると共に、構内交換機２２Ａとも接続されている。
【００６３】
次に、図３及び図４を用いて、上記通信システムにおける事業所間のファクシミリ通信での通信シーケンス例を説明する。
【００６４】
図３（ａ)(ｂ）は、Ａ事業所の本デジタル複合機１００から、Ｂ事業所のファクシミリ装置２１Ｂに、各事業所の各構内交換機２２Ａ・２２Ｂを介してファクシミリ送信した場合の通信シーケンス例であり、同図（ａ）はＢ事業所のファクシミリ装置２１ＢがＶ．３４通信機能を有する場合（ＡＮＳａｍ信号有）、同図（ｂ）はＢ事業所のファクシミリ装置２１がＶ．３４通信機能を持たない場合（ＡＮＳａｍ信号無）である。
【００６５】
同図（ａ)(ｂ）に示すように、発呼側である本デジタル複合機１００では、各構内交換機２２Ａ・２２Ｂを介しての通信であるので、発呼時、最初の手順としてＣＥＤ信号を送出する。このＣＥＤ信号にて、各事業所の各構内交換機２２Ａ・２２Ｂは、当該通信がファクシミリ通信であると判断し、帯域圧縮を行わない。
【００６６】
ここで、着呼側であるＢ事業所のファクシミリ装置２１Ｂが、Ｖ．３４通信機能を有する装置であれば、同図（ａ）に示すように、着信に応答してＶ．８手順に入り、ＡＮＳａｍ信号（２１００Ｈｚを１５Ｈｚで変調した信号）を送出する。
【００６７】
発呼側の本デジタル複合機１００は、このＡＮＳａｍ信号を受信すると、全２重通信の手順であるＶ．８手順を実行し、その後、Ｖ．３４手順とＶ．３４に基づく画像信号の伝送を行う。
【００６８】
すなわち、全２重通信の場合、デジタル複合機１００は、着呼側からのＡＮＳａｍ信号を受信すると、Ｖ．８変調によるＣＭ信号を送出し、このＣＭ信号により画像信号の伝送において実効可能な伝送モードを着呼側に通知する。
【００６９】
着呼側は、ＣＭ信号を受信すると、ＡＮＳａｍ信号の送出を停止し、Ｖ．８変調によるＪＭ信号を送出する。着呼側は、このＪＭ信号によって、ＣＭ信号で通知された実行可能な伝送モードの中で、着呼側が実効できる伝送モードを発呼側に通知する。
【００７０】
発呼側の本デジタル複合機１００は、ＪＭ信号を受信するとＣＭ信号の送出を停止し、Ｖ．８変調のＣＪ信号を送出する。発呼側の本デジタル複合機１００は、このＣＪ信号によりＪＭ信号に基づいて決定した伝送モードを着呼側に通知する。
【００７１】
着呼側は、ＣＪ信号を受信すると、ＪＭ信号の送出を停止し、発呼側からのラインプロービング信号の受信処理へ進む。
【００７２】
発呼側の本デジタル複合機１００は、ＣＪ信号の送出を停止してから所定時間経過後に、回線２の状況をチェックするためのラインプロービング信号（Ｖ．３４で変調された信号）を送出する。
【００７３】
着呼側は、ラインプロービング信号を受信すると、このラインプロービング信号に対する応答信号（Ｖ．３４変調の信号）を送出し、この応答信号によって、以後の信号の送出レベル、振幅レベルの補正、伝送ボーレートを発呼側に通知し、発呼側からのロングトレーニング信号の受信処理へ進む。
【００７４】
発呼側の本デジタル複合機１００は、前記応答信号を受信すると、ラインプロービング信号の送出を停止し、送出停止から所定時間経過後にＶ．３４変調のロングトレーニング信号を送出する。
【００７５】
着呼側はこのロングトレーニング信号により、モデムの等化器の調整、タイミング検出等の処理を実行する。
【００７６】
発呼側の本デジタル複合機１００は、ロングトレーニング信号の送出後、所定時間経過後にＶ．３４変調のパラメータ交換信号を送出する。
【００７７】
着呼側は、パラメータ変換信号を受信すると、Ｖ．３４変調のパラメータ変換応答信号を送出し、この応答信号により以降のリンク補正、ビットレートを発呼側に通知する。そして、着呼側は、パラメータ交換応答信号に続いてＴ．３０の勧告のＣＳＩ，ＤＩＳ信号をＶ．３４変調により送出し、さらに、発呼側からＴ．３０勧告のＴＳ１，ＤＣＳ信号を受信するまでフラグを送出する。
【００７８】
発呼側の本デジタル複合機１００は、ＣＳＩ，ＤＩＳ信号を受信するとパラメータ交換信号の送出を停止し、Ｖ．３４変調によりＴＳＩ，ＤＣＳ信号を送出した後、着呼側からＣＦＲ信号を受信するまでフラグを送出する。
【００７９】
着呼側は、発呼側からＴＳＩ，ＤＣＳ信号を受信するとフラグ送出を停止し、Ｖ．３４変調によりＣＦＲ信号を送出する。
【００８０】
発呼側のデジタル複合機１００は、ＣＦＲ信号を受信すると、フラグ送出を停止し、所定時間経過後に前の手順で設定された伝送モードにより、画像信号を送出し、着呼側は、設定された伝送モードにより画像信号の受信を行う。
【００８１】
１ページの画像信号の送信後、発呼側の本デジタル複合機１００は、そのままの伝送モードで次ページの画像信号を送出する場合には、画像信号の送信終了から所定時間経過後にＰＰＳ−ＭＰＳ信号を送出し後、着呼側からＭＣＦ信号を受信するまでフラグを送出する。なお、伝送モードを変更して次ページの送信を行う場合は、ＰＰＳ−ＭＰＳ信号に代えてＰＰＳ−ＥＯＭ信号を送出する。
【００８２】
着呼側は、ＰＰＳ−ＭＰＳ信号を受信すると、ＭＣＦ信号を送出した後、次のページの画像信号受信処理へ進む。
【００８３】
発呼側の本デジタル複合機１００は、ＭＣＦ信号を受信すると、フラグ送出を停止し、所定時間経過後に、次ページの画像信号を送出する。そして、そのページが最終ページであると、そのページの画像信号の送信終了後、所定時間経過後にＰＰＳ−ＥＯＰ信号を送出し後、着呼側からＭＣＦ信号を受信するまでフラグを送出する。
【００８４】
そして、着呼側が、ＰＰＳ−ＥＯＰ信号を受信してＭＣＦ信号を送出し、発呼側の本デジタル複合機１００は、このＭＣＦ信号を受信すると、フラグ送出を停止し、ＤＣＮ信号を送出する。
【００８５】
一方、着呼側のファクシミリ装置２１ＢがＶ．３４通信機能を持たない装置であれば、同図（ｂ）に示すように、着信時にＣＥＤ信号にて応答して、Ｖ．２１手順によるＮＳＦ信号，ＣＳＩ信号，ＤＩＳ信号を順次送出する。
【００８６】
ここで、発呼側である本デジタル複合機は、ＡＮＳａｍ信号を受信しないので、相手先のファクシミリ装置はＶ．３４通信機能を持たないと判断し、Ｖ．２１手順の、ＮＳＦ，ＣＳＩ，ＤＩＳ信号を受信した後、所定時間経過後に、Ｖ．２１手順によるＮＳＳ，ＴＳＩ，ＤＣＳ信号を順次送出する。なお、Ｖ．３４通信機能を持たない装置の通信シーケンスの説明は、広く知られているので、説明の便宜上ここでは省略する。
【００８７】
また、図４（ａ)(ｂ）は、Ｂ事業所のファクシミリ装置２１Ｂから、Ａ事業所の本デジタル複合機１００に、各事業所の構内交換機２２Ｂ・２２Ａを介してファクシミリ送信した場合の通信シーケンス例であり、同図（ａ）はＢ事業所のファクシミリ装置２１ＢがＶ．３４通信機能を有する場合、同図（ｂ）はＢ事業所のファクシミリ装置２１がＶ．３４通信機能を持たない場合である。
【００８８】
本デジタル複合機１００では、同図（ａ)(ｂ）に示すように、着呼時、最初の手順として、ＣＥＤ信号を送出し、その後、Ｖ．８手順のＡＮＳａｍ信号にて応答する。このとき出力するＣＥＤ信号にて、各事業所の各構内交換機２２Ａ・２２Ｂは、当該通信がファクシミリ通信であると判断し、帯域圧縮を行わない。
【００８９】
ここで、発呼側であるＢ事業所のファクシミリ装置２１Ｂが、Ｖ．３４通信機能を有する装置であれば（ＣＭ有）、同図（ａ）に示すように、ＡＮＳａｍ信号の応答により相手先、つまり本デジタル複合機１００はＶ．３４通信機能を有すると判断してＶ．８手順によるＣＭ信号を送信する。なお、以降の説明は、図３（ａ）と同じであるので、便宜上説明を省略する。
【００９０】
一方、発呼側であるＢ事業所のファクシミリ装置２１Ｂが、Ｖ．３４通信機能を持たない装置であれば（ＣＭ無）、同図（ｂ）に示すようにＣＭ信号を送信することなく、Ｖ．２１手順によるＮＳＦ信号，ＣＳＩ信号，ＤＩＳ信号を順次送出する。なお、ここでも、便宜上以降の説明を省略する。
【００９１】
次に、図５〜図７のフローチャートを用いて、図２の通信システムに属する本デジタル複合機１００における発呼側の制御、及び着呼側の制御を説明する。
【００９２】
図５において、Ｓ１では、まず、図１に示すＮＣＵ８やモデム９等の各種回路の初期化処理を行う。
【００９３】
次に、Ｓ２、Ｓ３では、発呼、あるいは着呼の何れが選択されたかを判断し、発呼が選択されるとＳ４に進み、着呼が選択されると図７のＳ４１に進む。
【００９４】
Ｓ４では、回線接続を行う。つまり、ＣＭＬをオンし、図１に示す操作パネル１０からのキー入力に応じて相手先のファクシミリ番号を、モデム９内のＤＴＭＦ信号発生器又は、ＮＣＵ８内のダイヤラーを用いて指定の回線にダイヤル信号として送出する。
【００９５】
Ｓ５では、タイマーＴ１に所定時間をセットし、Ｓ６に進む。Ｓ６では、各構内交換機２２Ａ・２２Ｂの少なくとも何れかを介する通信であるか否かを判断する。ここでの各構内交換機２２Ａ・２２Ｂの少なくとも何れかを介するか否かの判断は、登録データメモリ５の登録情報を基に判断する。
【００９６】
そして、各構内交換機２２Ａ・２２Ｂの何れをも介さない通信である場合は、Ｓ７をスキップしてＳ８に進む。一方、各構内交換機２２Ａ・２２Ｂの少なくとも何れかを介しての通信であると判断すると、Ｓ７の処理を経て、当該通信がファクシミリ通信であることを認識させるためのＣＥＤ信号を、図１に示すモデム９より送出した後、Ｓ８に進む。
【００９７】
Ｓ８では、相手機（着呼側）からの信号受信を行い、Ｓ９，Ｓ１０，Ｓ１１にて夫々受信の有無を判断し、Ｓ９において、ＮＳＦ，ＣＳＩ，ＤＩＳ信号（Ｖ．２１手順による信号）を受信すると、図６のＳ２１に進み、また、Ｓ１０においいて、ＡＮＳａｍ信号を受信すると、図６のＳ２３に進み、また、Ｓ１１において、タイマーＴ１がタイムオーバーしていないとＳ８に戻り、タイマーＴ１がタイムオーバーすると、エラーと判断して、Ｓ１２の所定のエラー処理に入る。
【００９８】
図６に示すＳ２１では、ＤＩＳ信号により相手機がＶ．８機能（Ｖ．８手順可能）を有しているか否かを判断し、Ｖ．８機能を有しているとＳ２２に進む。一方、Ｖ．８機能を有していないとＳ３０に進み、前述したＶ．２１手順を行い、半２重通信にて、つまり、Ｖ．２７ter 、Ｖ．２９、Ｖ．１７の画像伝送を行う。
【００９９】
一方、Ｓ２２では、Ｖ．８手順の信号であるＣＩ信号（このＣＩ信号によって着呼側にＶ．８の手順が可能であることを通知する）を送信する。Ｓ２３では、ＡＮＳａｍ信号の受信をし、ＡＮＳａｍ信号を受信すると、Ｓ２４に進みＶ．８手順のＣＭ信号を送信する。同時にＶ．８手順のＪＭ信号を受信し（Ｓ２５）、ＪＭ信号を受信するとＳ２９に進み、一方、ＪＭ信号を受信していないと、Ｓ２６に進む。
【０１００】
Ｓ２６では、ＣＭ信号の送信が終了したか否かが判断され、ＣＭ信号の送信が終了するまでに、Ｓ２５にてＪＭ信号を受信しない場合は、全２重通信は不可と判断し、Ｓ２７に進む。
【０１０１】
Ｓ２７，Ｓ２８にてタイマーＴ１がタイムオーバーするまでにＮＳＦ，ＣＳＩ，ＤＩＳ信号が受信されるか否かを判断し、ＮＳＦ，ＣＳＩ，ＤＩＳ信号が受信されるとＳ２７からＳ３０に進み、前述したＶ．２１手順を行い、半２重通信による手順信号の送受信を行う。また、タイマーＴ１がタイムオーバーすると、Ｓ１２のエラー処理に入る。
【０１０２】
一方、Ｓ２５でＪＭ信号を受信すると、Ｓ２９に進み、Ｖ．８手順のＣＪ信号を送信し、以後、Ｓ３１に進み、全２重通信には入り、Ｖ．３４手順、Ｖ．３４通信の画像伝送を実行する。
【０１０３】
一方、図５のＳ３にて着呼であると判断して図７のＳ４１に進んだ場合、Ｓ４１では、回線接続を行い、ＣＭＬをオンしてＳ４２に進む。
【０１０４】
Ｓ４２では、各構内交換機２２Ａ・２２Ｂの少なくとも何れかを介する通信であるか否かを判断する。この場合の判断も、登録データメモリ５に登録されている情報を基に行う。そして、各構内交換機２２Ａ・２２Ｂの何れをも介さない通信である場合は、Ｓ４４にそのまま進む。一方、各構内交換機２２Ａ・２２Ｂの少なくとも何れかを介しての通信であると判断すると、Ｓ４３の処理を経て、ファクシミリ通信であることを認識させるためのＣＥＤ信号を、図１に示すモデム９より送出した後、Ｓ４４に進む。
【０１０５】
Ｓ４４では、ＡＮＳａｍ信号の送出を開始する。Ｓ４５では、Ｖ．８手順のＣＭ信号の受信を行い、Ｓ５０にてＡＮＳａｍ信号送信終了を確認する前に、ＣＭ信号を受信すると、Ｓ４６に進み、Ｖ．８手順のＣＭ信号を送信し、ＣＭ信号を受信できずにＡＮＳａｍ信号の受信を終了すると、Ｓ５１に進む。
【０１０６】
Ｓ４６に進むケースは、ＡＮＳａｍ信号送信中に、ＣＭ信号を受信できたケースで、全２重通信が可能な場合であるので、Ｓ４６でＶ．８手順のＪＭ信号を送信し、さらにＳ４９にてＪＭ信号の送信終了を確認するまでにＳ４７にてＣＪ信号を受信すると、ここでも、全２重通信が可能であるので、Ｓ５５に進み、Ｖ．３４手順、Ｖ．３４の画像受信を続行する。
【０１０７】
一方、Ｓ４８，Ｓ４９にてＣＪ信号が受信できずにＪＭ信号の送信が終了すると、全２重通信が不可と判断し、Ｓ４９に進み、ＮＳＦ，ＣＳＩ，ＤＩＳ信号に、Ｖ．８機能無しの情報をセットし、そのＮＳＦ，ＣＳＩ，ＤＩＳ信号を送出してＳ５６に進み、前述したＶ．２１手順を行い、Ｖ．２７ter 、Ｖ．２９、Ｖ．１７の画像受信を行う。
【０１０８】
Ｓ５１では、Ｖ．２１手順によるＮＳＦ，ＣＳＩ，ＤＩＳ信号の送信を行う。ここで、ＤＩＳ信号によりＶ．８機能有りを送信機に通知する。そしてＳ５２にて、ＣＩ信号（Ｖ．８手順の信号）の受信の有無をチェックしてＣＩ信号が受信されていないと、Ｓ５６に進み、以後、前述したＶ．２１手順を行い、Ｖ．２７ter 、Ｖ．２９、Ｖ．１７の画像受信を行う。
【０１０９】
以上のように、本デジタル複合機１００では、発呼時、全２重通信のＶ．８手順に入る前に、各構内交換機２２Ａ・２２Ｂに当該通信がファクシミリ通信であることを認識させ得る識別信号を送出するようになっている。
【０１１０】
これにより、たとえ着呼側のファクシミリ装置が、Ｖ．３４通信機能を有する装置であって、ＣＥＤ信号を送出せず、全２重通信のＡＮＳａｍ信号にて応答しても、当該通信に用いられる各構内交換機２２Ａ・２２Ｂは、この識別信号で、当該通信がファクシミリ通信であることを認識し、帯域圧縮を行わないので、従来では、通信不能となったり、通信速度が遅くなったりするため行えなかった構内交換機を介してのＶ．３４通信が実施可能となる。
【０１１１】
また、本デジタル複合機１００では、着呼時、全２重通信信のＶ．８手順に入る前に、各構内交換機２２Ａ・２２Ｂに当該通信がファクシミリ通信であることを認識させ得る識別信号を送出するようになっている。
【０１１２】
これにより、当該通信に用いられる各構内交換機２２Ａ・２２Ｂは、着呼側から送信されるこの識別信号で、当該通信がファクシミリ通信であることを認識し、帯域圧縮を行わないので、従来では、通信不能となったり、通信速度が遅くなったりするため行えなかった構内交換機を介してのＶ．３４通信が実施可能となる。
【０１１３】
また、本デジタル複合機１００では、従来、各構内交換機２２Ａ・２２Ｂが、当該通信がファクシミリ通信であると判断しているＣＥＤ信号を識別信号としているので、他の信号を識別信号とする場合に比べ、各構内交換機２２Ａ・２２Ｂ側の構成・設定を何ら変更することなく、本発明のデータ通信装置を適用でき、効果を得ることができる。
【０１１４】
さらに、本デジタル複合機１００では、相手先ファクシミリ番号と共に当該ファクシミリ番号による通信が各構内交換機２２Ａ・２２Ｂを介するか否かの情報を相手先情報として登録データメモリ５に格納させておき、メイン制御部１が、格納されている相手先情報を基に、各構内交換機２２Ａ・２２Ｂの少なくとも何れか一方でも介するファクシミリ通信であるか否かを判断し、少なくとも何れか一方の各構内交換機２２Ａ・２２Ｂを介するファクシミリ通信であると判断すると、識別信号を送出するようになっている。
【０１１５】
これにより、本デジタル複合機１００のように、複数の回線を有し、１台の装置で、各構内交換機２２Ａ・２２Ｂを介するファクシミリ通信もあれば、直接、公衆回線を介して行わせるファクシミリ通信も可能であるといった場合に、ファクシミリ送信の度にユーザが一々指定することなく、自動的に必要な場合のみ識別信号が送信されるので、操作性が良い。
【０１１６】
なお、各構内交換機２２Ａ・２２Ｂを介す介さないに関係なく、ファクシミリ通信時に常に識別信号を送信する構成でも良いが、その場合は、識別信号が不要なときにも出力されるためにその分無駄な時間を要してしまうため、通信時間の短縮を図るといったＶ．３４通信の目的に一部反することとなる。
【０１１７】
また、本デジタル複合機１００では、メイン制御部１が登録データメモリ５の情報を基に、各構内交換機２２Ａ・２２Ｂの何れか一方でも介する通信か否かを判断する構成としたが、例えば、回線が１つであり、構内交換機を必ず介してファクシミリ通信されるように設置される装置であれば、装置本体に、識別信号送出有無を切り換える切換えスイッチ（識別信号送出切換え手段）を設けておき、この切換えスイッチが識別信号送信有り側に切換えられている場合のみ、発呼時、着呼時に識別信号を送出する構成としてもよい。
【０１１８】
なお、ここでは、デジタル複合機に本発明が搭載されている構成を例に説明したが、本発明は、手順信号の通信とデータの通信を行う全２重通信が可能なデータ通信装置には、全て適用できる。
【０１１９】
本発明のデータ通信装置は、以上のように、全２重通信により手順信号の送受信を行うデータ通信装置において、発呼時、全２重通信のＶ．８手順に入る前に、構内交換機に当該通信がファクシミリ通信であることを認識させ得る識別信号を送出する識別信号送出手段を有することを特徴としている。
【０１２０】
これによれば、発呼時、Ｖ．８手順に入る前に、当該通信がファクシミリ通信であることを示す識別信号が識別信号送出手段より送出される。したがって、たとえ着呼側のデータ通信装置が、Ｖ．３４通信機能を有する装置であって、ＣＥＤ信号を送出せず、全２重通信のＡＮＳａｍ信号にて応答しても、構内交換機は、発呼側の本発明のデータ通信装置から送信されるこの識別信号で、当該通信がファクシミリ通信であることを認識し、帯域圧縮を行わない。
【０１２１】
これにより、通信不能となったり、通信速度が遅くなるため、従来行えなかった構内交換機を介してのＶ．３４通信が、問題なく実施可能となる。 
【０１２２】
本発明のデータ通信装置は、以上のように、全２重通信により手順信号の送受信を行うデータ通信装置において、着呼時、全２重通信のＶ．８手順に入る前に、構内交換機に当該通信がファクシミリ通信であることを認識させ得る識別信号を送出する識別信号送出手段を有することを特徴としている。
【０１２３】
これによれば、着呼時、Ｖ．８手順に入る前に、当該通信がファクシミリ通信であることを示す識別信号が識別信号送出手段より送出される。したがって、構内交換機は、着呼側の本発明のデータ通信装置から送信されるこの識別信号で、当該通信がファクシミリ通信であることを認識し、帯域圧縮を行わない。
【０１２４】
これにより、通信不能となったり、通信速度が遅くなるため、従来行えなかった構内交換機を介してのＶ．３４通信が、問題なく実施可能となる。 
【０１２５】
本発明のデータ通信装置は、上記に記載のデータ通信装置において、上記識別信号送出手段による識別信号の送出有無を切換え可能にする識別信号送出切換え手段を備え、上記識別信号送出手段は、上記識別信号送出切換え手段が、識別信号送出有り側に切り換えられているとき、識別信号を送出することを特徴としている。
【０１２６】
構内交換機を介す介さないに関係なく、ファクシミリ通信時に常に識別信号を送信する構成でも良いが、その場合は、識別信号が不要なときにも出力されるためにその分無駄な時間を要し、通信時間の短縮を図るといったＶ．３４通信の目的に反することになる。したがって、構内交換機を介してのファクシミリ通信時にのみ識別信号を出力させることが望ましく、識別信号の送出有無を指定できる構成が望ましい。
【０１２７】
一方、データ通信装置が、必ず構内交換機を介して送信を行うように設置される場合もあり、そうすると、ユーザはファクシミリ送信の度に、識別信号の送信有りを指定しなければならず、煩わしくなる。
【０１２８】
上記構成によれば、識別信号の送出有無を切換え可能にする識別信号送出切換え手段が設けられており、この識別信号送出切換え手段が、識別信号送出有り側に切り換えられているとき、識別信号を送出するようになっているので、ユーザは、この識別信号送出切換え手段を操作して識別信号送出の有無を一括指定することが可能となる。
【０１２９】
これにより、ファクシミリ送信の度に一々識別信号の送信の有無を指定しなくとも済み、操作性が向上する。
【０１３０】
本発明のデータ通信装置は、上記に記載のデータ通信装置において、入力手段より入力される相手先ファクシミリ番号等の相手先情報を格納するもので、相手先ファクシミリ番号と共に当該ファクシミリ番号による通信が構内交換機を介するか否かの情報を格納する記憶手段を備え、上記識別信号送出手段は、上記記憶手段に格納されている相手先情報を基に構内交換機を介するファクシミリ通信であるか否かを判断し、構内交換機を介するファクシミリ通信であると判断すると、識別信号を送出することを特徴としている。
【０１３１】
最近、複数の回線を有するデータ通信装置も利用されているが、このようなデータ通信装置では、識別信号送出切換え手段にて一括して識別信号の送信有無を指定することができず、ファクシミリ送信の度にユーザが一々指定することが必要となる。
【０１３２】
これに対し、上記構成によれば、例えばタッチパネル等の入力手段を用いてユーザが相手先ファクシミリ番号と共に、当該ファクシミリ番号による通信が構内交換機を介する通信であるか否かの情報を記憶手段に登録しておくことで、識別信号送出手段が、記憶手段に格納されている情報を基に、構内交換機を介するファクシミリ通信であるか否かを判断し、構内交換機を介するファクシミリ通信である場合のみ、識別信号を送出するようになっている。
【０１３３】
したがって、ユーザがファクシミリ送信の度に一々識別信号の送信の有無を指定しなくとも、自動的に必要な場合のみ識別信号が送信されるので、操作性が向上する。
【０１３４】
本発明のデータ通信装置は、上記に記載のデータ通信装置において、上記識別信号がＣＥＤ信号であることを特徴としている。
【０１３５】
従来より、構内交換機は、ＣＥＤ信号を検出すると、当該通信がファクシミリ通信であると判断しているので、ＣＥＤ信号を本発明のファクシミリ通信であることを構内交換機に認識させ得る識別信号として用いることで、他の信号を識別信号とする場合に比べ、構内交換機側の構成・設定を何ら変更することなく、本発明のデータ通信装置を適用でき、効果を得ることができる。
【０１３６】
【発明の効果】
本発明のデータ通信装置は、以上のように、ァクシミリ通信において全２重通信により手順信号の送受信を行うデータ通信装置であって、通信が電話である場合には音声信号の帯域圧縮を行う一方ファクシミリ通信である場合には該帯域圧縮を行わない構内交換機を介して通信するデータ通信装置において、発呼時に、全２重通信のＶ．８手順に入る前に、上記構内交換機に対して当該通信がファクシミリ通信であることを認識させるための識別信号を送出する識別信号送出手段と、入力手段より入力される相手先ファクシミリ番号等の相手先情報を格納するもので、相手先ファクシミリ番号と共に当該ファクシミリ番号による通信が構内交換機を介するか否かの情報を格納する記憶手段とを備え、上記識別信号送出手段は、上記記憶手段に格納されている相手先情報を基に構内交換機を介するファクシミリ通信であるか否かを判断し、構内交換機を介するファクシミリ通信であると判断すると、上記識別信号を送出する構成である。
【０１３７】
これにより、構内交換機は、全２重通信により手順信号の送受信を行うＶ．３４通信であって、着呼側からＣＥＤ信号にて応答されなくとも、発呼側より送信されるこの識別信号で当該通信がファクシミリ通信であることを認識して帯域圧縮を行わない。
【０１３８】
その結果、通信不能となったり、通信速度が遅くなるため、従来行えなかった構内交換機を介してのＶ．３４通信が、問題なく実施可能となるという効果を奏する。
【０１３９】
これにより、ユーザが相手先ファクシミリ番号と共に、当該ファクシミリ番号による通信が構内交換機を介する通信であるか否かの情報を記憶手段に登録しておくことで、自動的に識別信号の必要・不要が判断されて送出されるので、複数の回線を有するデータ通信装置であって、識別信号送出切換え手段にて一括して識別信号の送信有無を指定することができない場合も、ファクシミリ送信の度に一々識別信号の送信の有無を指定しなくとも済む。
【０１４０】
その結果、通信時間を短縮するといったＶ．３４通信の目的に反することなく、操作性を向上できるという効果を併せて奏する。
【０１４１】
本発明のデータ通信装置は、以上のように、ファクシミリ通信において全２重通信により手順信号の送受信を行うデータ通信装置であって、通信が電話である場合には音声信号の帯域圧縮を行う一方ファクシミリ通信である場合には該帯域圧縮を行わない構内交換機を介して通信するデータ通信装置において、着呼時に、全２重通信のＶ．８手順に入る前に、上記構内交換機に対して当該通信がファクシミリ通信であることを認識させるための識別信号を送出する識別信号送出手段と、入力手段より入力される相手先ファクシミリ番号等の相手先情報を格納するもので、相手先ファクシミリ番号と共に当該ファクシミリ番号による通信が構内交換機を介するか否かの情報を格納する記憶手段とを備え、上記識別信号送出手段は、上記記憶手段に格納されている相手先情報を基に構内交換機を介するファクシミリ通信であるか否かを判断し、構内交換機を介するファクシミリ通信であると判断すると、上記識別信号を送出する構成である。
【０１４２】
これにより、構内交換機は、全２重通信により通信手順信号の送受信を行うＶ．３４通信であって、ＡＮＳａｍ信号にて応答する構成であっても、まず、最初に送信されてくるこの識別信号でファクシミリ通信であることを認識して帯域圧縮を行わない。
【０１４３】
その結果、通信不能となったり、通信速度が遅くなるため、従来行えなかった構内交換機を介してのＶ．３４通信が、問題なく実施可能となるという効果を奏する。
【０１４４】
これにより、ユーザが相手先ファクシミリ番号と共に、当該ファクシミリ番号による通信が構内交換機を介する通信であるか否かの情報を記憶手段に登録しておくことで、自動的に識別信号の必要・不要が判断されて送出されるので、複数の回線を有するデータ通信装置であって、識別信号送出切換え手段にて一括して識別信号の送信有無を指定することができない場合も、ファクシミリ送信の度に一々識別信号の送信の有無を指定しなくとも済む。
【０１４５】
その結果、通信時間を短縮するといったＶ．３４通信の目的に反することなく、操作性を向上できるという効果を併せて奏する。
【０１４６】
本発明のデータ通信装置は、以上のように、ファクシミリ通信において全２重通信により手順信号の送受信を行うデータ通信装置であって、通信が電話である場合には音声信号の帯域圧縮を行う一方ファクシミリ通信である場合には該帯域圧縮を行わない構内交換機を介して通信するデータ通信装置において、発呼時に、全２重通信のＶ．８手順に入る前に、上記構内交換機に対して該構内交換機が半２重通信により手順信号を送出する通信において当該通信がファクシミリ通信であると認識するために用いている信号を識別信号として送出する識別信号送出手段を有する構成である。
【０１４７】
本発明のデータ通信装置は、以上のように、ファクシミリ通信において全２重通信により手順信号の送受信を行うデータ通信装置であって、通信が電話である場合には音声信号の帯域圧縮を行う一方ファクシミリ通信である場合には該帯域圧縮を行わない構内交換機を介して通信するデータ通信装置において、着呼時に、全２重通信のＶ．８手順に入る前に、上記構内交換機に対して該構内交換機が半２重通信により手順信号を送出する通信において当該通信がファクシミリ通信であると認識するために用いている信号を識別信号として送出する識別信号送出手段を有する構成である。
【０１４８】
本発明のデータ通信装置は、以上のように、ファクシミリ通信において全２重通信により手順信号の送受信を行うデータ通信装置であって、通信が電話である場合には音声信号の帯域圧縮を行う一方ファクシミリ通信である場合には該帯域圧縮を行わない構内交換機を介して通信するデータ通信装置において、発呼時及び着呼時に、全２重通信のＶ．８手順に入る前に、上記構内交換機に対して該構内交換機が半２重通信により手順信号を送出する通信において当該通信がファクシミリ通信であると認識するために用いている信号を識別信号として送出する識別信号送出手段を有する構成である。
【０１４９】
そして、これらの場合にも、入力手段より入力される相手先ファクシミリ番号等の相手先情報を格納するもので、相手先ファクシミリ番号と共に当該ファクシミリ番号による通信が構内交換機を介するか否かの情報を格納する記憶手段を備え、上記識別信号送出手段は、上記記憶手段に格納されている相手先情報を基に構内交換機を介するファクシミリ通信であるか否かを判断し、構内交換機を介するファクシミリ通信であると判断すると、上記識別信号を送出するようにしてもよい。
【０１５０】
また、上記した本発明の各データ通信装置においては、上記識別信号送出手段による識別信号の送出有無を切換え可能にする識別信号送出切換え手段を備え、上記識別信号送出手段は、上記識別信号送出切換え手段が、識別信号送出有り側に切換えられているとき、識別信号を送出する構成とすることもできる。
【０１５１】
これにより、ユーザが識別信号送出切換え手段にて識別信号の送出有無を一括指定することが可能であるので、データ通信装置が必ず構内交換機を介して送信を行うように設置される場合など、ファクシミリ送信の度に一々識別信号の送信の有無を指定しなくとも済む。
【０１５２】
その結果、通信時間を短縮するといったＶ．３４通信の目的に反することなく、操作性を向上できるという効果を併せて奏する。
【０１５３】
さらに、上記した本発明の各データ通信装置においては、ＣＥＤ信号にて当該通信がファクシミリ通信であることを認識する構内交換機に対しては、ＣＥＤ信号を上記識別信号として用いる構成とすることもできる。
【０１５４】
これにより、ＣＥＤ信号とは異なる別の信号を識別信号とする場合に比べ、従来よりある構内交換機側の構成・設定を何ら変更することなく、そのまま本発明のデータ通信装置を適用できるという効果を併せて奏する。
【図面の簡単な説明】
【図１】本発明の実施の一形態を示すもので、デジタル複合機の構成を示すブロック図である。
【図２】本デジタル複合機が属する電話・ファクシミリ通信システムの説明図である。
【図３】（ａ)(ｂ）共に、図２の電話・ファクシミリ通信システムにおいて、本デジタル複合機を発呼側としたファクシミリ通信の通信シーケンスを示す説明図である。
【図４】（ａ)(ｂ）共に、図２の電話・ファクシミリ通信システムにおいて、本デジタル複合機を着呼側としたファクシミリ通信の通信シーケンスを示す説明図である。
【図５】本デジタル複合機におけるファクシミリ通信の制御手順を示すフローチャートである。
【図６】本デジタル複合機におけるファクシミリ通信の制御手順を示すフローチャートである。
【図７】本デジタル複合機におけるファクシミリ通信の制御手順を示すフローチャートである。
【図８】従来例における、電話・ファクシミリ通信システムの説明図である。
【図９】（ａ)(ｂ）共に、図８の電話・ファクシミリ通信システムにおける、ファクシミリ通信の通信シーケンスを示す説明図である。
【符号の説明】
１    メイン制御部（識別信号送出手段）
５    登録データメモリ（記憶手段）
９    モデム（識別信号送出手段）
１０    操作パネル（入力手段）
【図１】
0003611739.tif 000002
【図２】
0003611739.tif 000003
【図３】
0003611739.tif 000004
【図４】
0003611739.tif 000005
【図５】
0003611739.tif 000006
【図６】
0003611739.tif 000007
【図７】
0003611739.tif 000008
【図８】
0003611739.tif 000009
【図９】
0003611739.tif 000010